(57)【要約】【課題】食材の買物に際しての手間を省いて手軽に希望する食材を注文する。【解決手段】ユーザ端末機器は、図示しない商品管理・受注サーバから食材検索画面を取得して、ユーザに該食材検索画面での操作を行わせ表示される食材の情報を選択させることにより、所望の食材の注文を行わせる。食材検索画面は、第１の商品ジャンル選択エリア60aと、第２の商品ジャンル選択エリア60bと、食材表示エリア60eとを有して構成され、前記第１の商品ジャンル選択エリア60aには、商品ジャンルを示す画像にユーザに提供するレコメンド情報が付与され、１つの商品ジャンルが選択されたとき、その商品ジャンルに含まれる商品である食材の情報が前記食材表示エリア60eに表示されると共に、食材の情報にユーザに提供するレコメンド情報が付与される。【選択図】図１５
2013152681.tif 000002
【特許請求の範囲】
【請求項１】
ユーザ端末機器の表示画面に表示される食材検索画面により所望する食材の情報を選択して購入のための注文をする食材検索システムにおいて、
該食材検索システムは、複数のユーザ端末機器と、商品管理・受注サーバと、レコメンドサーバとがネットワークを介して接続されて構成されており、
前記商品管理・受注サーバは、顧客ＤＢ、在庫商品に関する情報を記憶した在庫ＤＢ、ユーザの食材購入履歴に関する情報を記憶した履歴ＤＢ、食材検索画面に表示するための情報を記憶したメニューＤＢを外部記憶装置内に有し、
前記レコメンドサーバは、前記商品管理・受注サーバから前記在庫ＤＢ、履歴ＤＢ、メニューＤＢの情報を取得し、取得したＤＢの情報に基づいて、顧客であるユーザ毎にそのユーザに提供すべきレコメンド情報を作成し、
前記ユーザ端末機器は、前記商品管理・受注サーバから食材検索画面を取得して、ユーザに該食材検索画面での操作を行わせ表示される食材の情報を選択させることにより、所望の食材の注文を行わせるものであり、
前記食材検索画面は、第１の商品ジャンル選択エリアと、第２の商品ジャンル選択エリアと、食材表示エリアとを有して構成され、前記第１の商品ジャンル選択エリアには、商品ジャンルを示す画像に前記ユーザに提供するレコメンド情報が付与され、１つの商品ジャンルが選択されたとき、その商品ジャンルに含まれる商品である食材の情報が前記食材表示エリアに表示されると共に、食材の情報に前記ユーザに提供するレコメンド情報が付与されることを特徴とする食材検索システム。
【請求項２】
前記第１の商品ジャンル選択エリアの商品ジャンルを示す画像は、その商品ジャンルの名称、食材名あるいはその食材の略画を含む画像であり、この商品ジャンルを示す画像全体が１つのアイコンとして機能することを特徴とする請求項１記載の食材検索システム。
【請求項３】
前記食材表示エリアに表示される食材の情報は、その食材の画像とその食材の名称、値段を含むその食材に関する情報とにより構成されていることを特徴とする請求項１または２記載の食材検索システム。
【請求項４】
前記第１の商品ジャンル選択エリアの商品ジャンルを示す画像に付与される前記ユーザに提供するレコメンド情報は、買い時食材の情報、買い得食材の情報、おすすめ献立の情報、残りもの活用献立の情報であることを特徴とする請求項１、２または３記載の食材検索システム。
【請求項５】
ユーザ端末機器の表示画面に表示される食材検索画面により所望する食材の情報を選択して購入のための注文をする食材検索システムにおける食材検索方法において、
該食材検索システムは、複数のユーザ端末機器と、商品管理・受注サーバと、レコメンドサーバとがネットワークを介して接続されて構成されており、
前記商品管理・受注サーバは、顧客ＤＢ、在庫商品に関する情報を記憶した在庫ＤＢ、ユーザの食材購入履歴に関する情報を記憶した履歴ＤＢ、食材検索画面に表示するための情報を記憶したメニューＤＢを外部記憶装置内に有し、
前記レコメンドサーバは、前記商品管理・受注サーバから前記在庫ＤＢ、履歴ＤＢ、メニューＤＢの情報を取得し、取得したＤＢの情報に基づいて、顧客であるユーザ毎にそのユーザに提供すべきレコメンド情報を作成し、
前記ユーザ端末機器は、前記商品管理・受注サーバから食材検索画面を取得して、ユーザに該食材検索画面での操作を行わせ表示される食材の情報を選択させることにより、所望の食材の注文を行わせるものであり、
前記食材検索画面は、第１の商品ジャンル選択エリアと、第２の商品ジャンル選択エリアと、食材表示エリアとを有して構成され、前記第１の商品ジャンル選択エリアには、商品ジャンルを示す画像に前記ユーザに提供するレコメンド情報が付与され、１つの商品ジャンルが選択されたとき、その商品ジャンルに含まれる商品である食材の情報が前記食材表示エリアに表示されると共に、食材の情報に前記ユーザに提供するレコメンド情報が付与されることを特徴とする食材検索方法。
【請求項６】
前記第１の商品ジャンル選択エリアの商品ジャンルを示す画像は、その商品ジャンルの名称、食材名あるいはその食材の略画を含む画像であり、この商品ジャンルを示す画像全体が１つのアイコンとして機能することを特徴とする請求項５記載の食材検索方法。
【請求項７】
前記食材表示エリアに表示される食材の情報は、その食材の画像とその食材の名称、値段を含むその食材に関する情報とにより構成されていることを特徴とする請求項５または６記載の食材検索方法。
【請求項８】
前記第１の商品ジャンル選択エリアの商品ジャンルを示す画像に付与される前記ユーザに提供するレコメンド情報は、買い時食材の情報、買い得食材の情報、おすすめ献立の情報、残りもの活用献立の情報であることを特徴とする請求項５、６または７記載の食材検索方法。
【発明の詳細な説明】
【技術分野】
【０００１】
本発明は、食材検索システム及び食材検索方法に係り、特に、スーパーマーケット等を経営する商品販売会社が運営するネットスーパシステムに適用して好適で、インターネットを介して商品の注文する際に、商品販売会社から提供される食材検索画面でユーザが希望する食材を検索することができるようにした食材検索システム及び食材検索方法に関する。
【背景技術】
【０００２】
インターネット等の通信回線を用いて商品の通信販売を行う種々のネットスーパシステムが提案されている。この種の通信販売システムに関する従来技術として、例えば、特許文献１等に記載された技術が知られている。この特許文献１に記載の従来技術は、クライアント端末であるオンライン端末装置からオンラインサーバにアクセスして、ホームショッピングサービスを受けることができるようにしたものである。
【０００３】
前述の特許文献１に記載の従来技術は、オンラインサーバからの情報により、オンライン端末装置のディスプレイに仮想現実世界の店内が表示され、この表示された店内をユーザがショッピング用カートを持って移動するように行われるものである。これにより、オンライン端末装置を使用するユーザは、様々な商品の画像を見ることができ、購入したい商品の画像をポインティングデバイスで指定することにより、指示された商品の画像がショッピング用カート内に表示されて購入することができる。
【０００４】
前述の特許文献１に記載の従来技術によれば、ユーザは、購入しようとする商品の画像を見ることにより、商品を容易に認識できる。
【０００５】
ネットスーパシステムは、基本的には、前述したようなサービスを行うものであるが、さらに、注文商品をそれを注文したユーザ宅に宅配するサービスをも行うものである。
【先行技術文献】
【特許文献】
【０００６】
【特許文献１】特開２００１−２８３０５７号公報
【発明の概要】
【発明が解決しようとする課題】
【０００７】
前述した特許文献１に記載の従来技術は、仮想現実世界の店内でユーザがショッピング用カートを持って移動するように表示するものであるから、例えば、ユーザがある献立の食材を購入しようとする場合、ショッピング用カートを献立に必要な複数の食材の売り場に移動させることが必要であり、また、食材の売り場に移動したとしても、そこで売られている食材を確認しながら買おうとする食材や買いたい食材を決めなければならず、買い物に手間と時間が掛かることになるという問題点を有している。
【０００８】
本発明の目的は、前述した従来技術の問題点を解決し、食材の買物に際しての手間を省いて手軽に希望する食材を、購入のために注文することができるようにした食材検索システム及び食材検索方法を提供することにある。
【課題を解決するための手段】
【０００９】
本発明によれば前記目的は、ユーザ端末機器の表示画面に表示される食材検索画面により所望する食材の情報を選択して購入のための注文をする食材検索システムにおいて、
該食材検索システムは、複数のユーザ端末機器と、商品管理・受注サーバと、レコメンドサーバとがネットワークを介して接続されて構成されており、
前記商品管理・受注サーバは、顧客ＤＢ、在庫商品に関する情報を記憶した在庫ＤＢ、ユーザの食材購入履歴に関する情報を記憶した履歴ＤＢ、食材検索画面に表示するための情報を記憶したメニューＤＢを外部記憶装置内に有し、
前記レコメンドサーバは、前記商品管理・受注サーバから前記在庫ＤＢ、履歴ＤＢ、メニューＤＢの情報を取得し、取得したＤＢの情報に基づいて、顧客であるユーザ毎にそのユーザに提供すべきレコメンド情報を作成し、
前記ユーザ端末機器は、前記商品管理・受注サーバから食材検索画面を取得して、ユーザに該食材検索画面での操作を行わせ表示される食材の情報を選択させることにより、所望の食材の注文を行わせるものであり、
前記食材検索画面は、第１の商品ジャンル選択エリアと、第２の商品ジャンル選択エリアと、食材表示エリアとを有して構成され、前記第１の商品ジャンル選択エリアには、商品ジャンルを示す画像に前記ユーザに提供するレコメンド情報が付与され、１つの商品ジャンルが選択されたとき、その商品ジャンルに含まれる商品である食材の情報が前記食材表示エリアに表示されると共に、食材の情報に前記ユーザに提供するレコメンド情報が付与されることにより達成される。
【発明の効果】
【００１０】
本発明によれば、食材の買物に際しての手間を省いて手軽に希望する食材を、購入のために注文することができる。
【図面の簡単な説明】
【００１１】
【図１】本発明の一実施形態による食材検索システムの構成を説明するブロック図である。
【図２】図１に示す食材検索システムのレコメンドサーバがユーザ端末機器からのユーザの要求により買い時の商品を案内する処理を説明するシーケンスチャートである。
【図３】図１に示す食材検索システムのレコメンドサーバがユーザ端末機器からのユーザの要求によりおすすめ献立を案内する処理を説明するシーケンスチャートである。
【図４】図１に示す食材検索システムのレコメンドサーバがユーザ端末機器からのユーザの要求により残り物活用献立を案内する処理を説明するシーケンスチャートである。
【図５】図１に示す食材検索システムのレコメンドサーバがユーザ端末機器からのユーザの要求によりお買い得品を案内する処理を説明するシーケンスチャートである。
【図６】図１に示す食材検索システムにおいて、商品購入のためにユーザのタブレット端末に表示された食材検索用のホーム画面の例を示す図である。
【図７】図６に示すホーム画面で「種類順」指定ボタンがタッチ操作されたときに表示される商品の種類別に商品画像を表示する食材検索画面としてのホーム画面の例を示す図である。
【図８】図６または図７に示すホーム画面で「売り場」ボタンがタッチ操作されたときに表示される食材検索画面の例を示す図である。
【図９】図６〜図８に示して説明した食材検索画面の詳細検索ボタンがタッチ操作されたときに表示される詳細検索のための表示画面の食材検索画面の例を示す図である。
【図１０】図１に示す食材検索システムにおいて、商品購入のためにユーザ端末機器としてのスマートフォンに表示された食材検索用のホーム画面の例を示す図である。
【図１１】図１０に示すホーム画面で「種類順」指定ボタンがタッチ操作されたときに表示される商品の種類別に商品画像を表示する食材検索画面としてのホーム画面の例を示す図である。
【図１２】図１０または図１１に示すホーム画面で「売り場」ボタンがタッチ操作されたときに表示される食材検索画面の例を示す図である。
【図１３】図１０〜図１２の操作欄の右に配置したボタンがタッチ操作されたときに表示される詳細検索のための表示画面の食材検索画面の例を示す図である。
【図１４】図１に示す食材検索システムにおいて、商品購入のためにユーザ端末機器としてのＰＣに表示された食材検索用のホーム画面の例を示す図である。
【図１５】図１４に示すホーム画面で操作欄の「売り場」ボタンがタッチ操作されたときに表示される食材検索画面の例を示す図である。
【図１６】図１４、図１５に示して説明した食材検索画面の操作欄にある詳細検索ボタンがタッチ操作されたときに表示される詳細検索のための表示画面の食材検索画面の例を示す図である。
【発明を実施するための形態】
【００１２】
以下、本発明による食材検索システム及び食材検索方法の実施形態を図面により詳細に説明する。
【００１３】
図１は本発明の一実施形態による食材検索システムの構成を説明するブロック図である。
【００１４】
図１に示す食材検索システムは、ネットスーパー事業者が運用するネットスーパーシステムに用いて好適なもので、ネットスーパーシステムそのものの構成でもある。そして、ネットスーパーシステムは、ネットスーパー事業者２、クレジットカード会社３、物流会社４、レコメンドサービス事業者５、及び、商品の購入を行う多数の利用者が、このシステムへの参加者となって構成されている。
【００１５】
前述において、利用者は、ＰＣ等のユーザ端末機器１を有し、ネットスーパー事業者２は、利用者のユーザ端末機器１からアクセスされてネット上で商品情報を提供して、利用者に商品を購入してもらう事業者であり、商品管理・受注サーバ２ａと、商品データベースを格納したＨＤＤ等による外部記憶装置２ｂとを有している。また、物流会社４は、利用者が購入した商品を配送する会社であり、配送管理サーバ４ａを有し、クレジットカード会社３は、利用者が購入した商品の代金の支払いがクレジットによる場合の支払代金のクレジットによる決済を行う会社であり、決済サーバ３を有している。さらに、レコメンドサービス事業者５は、利用者の嗜好、商品の購入履歴等に従って、利用者毎にその利用者が好みそうな商品、ネットスーパー事業者のお勧め商品等の情報を提供する事業者であり、利用者の嗜好、商品の購入履歴等に従った提供情報を生成するレコメンドサーバ５ａと、利用者毎の嗜好の情報を保持した嗜好データベース、レコメンドフラグ等を格納したＨＤＤ等による外部記憶装置５ｂとを有している。
【００１６】
そして、本発明の実施形態による食材検索システムは、ネットスーパーシステムに参加する事業者が持つサーバ、多数のユーザが持つユーザ端末機器等の情報処理装置により構成される。
【００１７】
図１において、ネットスーパー事業者２が有するサーバ２ａと、クレジットカード会社３、物流会社４、レコメンドサービス事業者５のそれぞれが有するサーバ３ａ、４ａ、５ａとは、図示しないインターネット等の公衆通信回線を介して接続されて相互に通信を行うことが可能であり、また、同様に、ネットスーパー事業者２が有するサーバ２ａと、利用者が有するユーザ端末機器１とは、図示しないインターネット等の公衆通信回線を介して接続されて相互に通信を行うことが可能である。
【００１８】
なお、ネットスーパー事業者２は、物流会社４及びレコメンドサービス事業者５を兼ねてもよく、この場合、ネットスーパー事業者２、物流会社４及びレコメンドサービス事業者５のそれぞれが持つサーバ２ａ、４ａ、５ａは、１つのサーバとして構成されていてもよい。本発明の実施形態は、説明の便宜上、それぞれの事業者が別々の事業者であるとしている。また、利用者が有するユーザ端末機器１は、どのようなものであってもよいが、本発明の実施形態では、縦横表示方向を切り替えることが可能なタブレット端末、スマートフォン、及び、表示画面の大きさの大きいＰＣを使用するものとして説明する。
【００１９】
図１に示したシステムにおいて、ネットスーパー事業者２、物流会社４及びレコメンドサービス事業者５のそれぞれが持つサーバ２ａ、４ａ、５ａ及びクレジットカード会社３が持つ決済サーバ３ａは、よく知られているように、ＣＰＵ、主メモリ、ＨＤＤ等による記憶装置を備え、必要により管理者が使用するキーボード、マウス等の入力装置、ディスプレイ等の出力装置を有する情報処理装置内に構成されている。そして、各サーバ２ａ、３ａ、４ａ、５ａは、記憶装置に格納された、それぞれのサーバの本発明で必要とする機能を構築するためのプログラムがメモリ内にロードされてＣＰＵにより実行されることにより、それぞれで必要とする機能が構築される。
【００２０】
また、クレジットカード会社３における決済サーバ３ａ、物流会社４における配送管理サーバ４ａの処理は、利用者が商品の購入を決定した後の処理であり、以下に説明する本発明の実施形態による食材検索システムの処理とは、直接的には関係しないので、決済サーバ３ａ、配送管理サーバ４ａの詳細な処理についての説明は省略する。
【００２１】
ネットスーパー事業者２が持つ商品管理・受注サーバ２ａに接続されている外部記憶装置２ｂに格納されるデータベースは、ユーザ（顧客）に関する情報を記憶した顧客ＤＢ（データベース）、在庫商品を管理するための在庫商品に関する情報を記憶した在庫ＤＢ、ユーザの食材購入履歴に関する情報を記憶する履歴ＤＢ、食材の検索画面に表示するためのメニューの情報（メニュー情報）を記憶したメニューＤＢ等を格納して管理している。前述のメニュー情報は、食材の名称、価格（単価）、画像等の食材の属性情報のほかに、その食材の見た目の色や栄養素などの付加情報を含んでいてもよい。
【００２２】
また、商品管理・受注サーバ２ａは、制御部、画面生成部等の機能を備えており、ユーザ端末機器１からの要求により、外部記憶装置２ｂ内のデータベースから所定の情報を取得し、また、レコメンドサーバ５ａからユーザ端末機器１からの食材検索画面の要求を行ったユーザに対応するレコメンド情報を取得して食材検索画面を作成し、作成した食材検索画面をユーザ端末機器１に送信する。そして、商品管理サーバ２ａは、ユーザが所望する食材等の商品を選択してその商品の注文があると、ユーザ端末機器１からの注文情報をネットスーパー事業者２の担当者に提示する。これにより、ネットスーパー事業者２は、ユーザからの商品の注文を受注することができる。
【００２３】
ネットスーパー事業者２が持つ商品管理・受注サーバ２ａは、ユーザ端末機器１から注文情報を受信して商品の受注をすると、ユーザに関する情報、注文商品の値段等からなるクレジット情報をクレジット会社３が持つ決済サーバ３ａに送信する。決済サーバ３ａは、このクレジット情報を基に、このユーザからの注文商品に対する代金の決済処理を行う。
【００２４】
また、ネットスーパー事業者２が持つ商品管理・受注サーバ２ａは、ユーザ端末機器１から注文情報を受信して商品の受注をすると、物流会社４が持つ配送管理サーバ４ａに配送先（商品を注文したユーザ）の情報やこの配送先への配送商品（受注した商品）に関する情報を送信する。配送管理サーバ４ａが、この配送先・配送商品の情報を受信すると、物流会社４はこの配送商品を配送先に配送する。そして、配送管理サーバ４ａは、配送が行われると、配送したことを連絡するための配送状況情報をネットスーパー事業者２が持つ商品管理・受注サーバ２ａに送信する。ネットスーパー事業者２が持つ商品管理・受注サーバ２ａは、この配送状況情報を受信すると、外部記憶装置２ｂ内の履歴ＤＢにおけるこのユーザの履歴情報を更新する。
【００２５】
前述したように構成される食材検索システムは、ユーザがユーザ端末機器１からネットスーパー事業者２の商品管理受注サーバ２ａにアクセスしてきたときに商品情報を提供して商品の検索を行ってユーザの商品の購入を助ける処理をネットを介して行わせるだけでなく、ユーザからの要求により、ユーザが希望する各種の情報を提供する機能をも備えているので、次に、ユーザが希望する各種の情報を提供する処理のいくつかについて説明する。
【００２６】
図２は図１に示す食材検索システムのレコメンドサーバ５ａがユーザ端末機器１からのユーザの要求により買い時の商品を案内する処理を説明するシーケンスチャートである。なお、ここでの処理は、ユーザ端末機器１がタブレット端末１ｂであるとして説明するが、スマートフォン、デスクトップ型のあるいはノート型のＰＣであっても同様である。また、ここでの処理の前提として、図１に示す本発明の実施形態によるシステムが稼働中であるものとする。
【００２７】
（１）レコメンドサーバ５ａは、例えば、１日に１回決まった時刻に、全ユーザそれぞれの商品購入履歴の取得処理のためその処理をタイマ起動し、ネットスーパー事業者２の商品管理・受注サーバ２ａにユーザ毎の商品購入履歴を要求し、ユーザ毎の商品購入履歴を取得する（ステップ２０１〜２０３）。
【００２８】
（２）取得したユーザ毎の商品購入履歴には、ユーザ毎に過去に購入した商品の情報とその商品を購入した日時とが含まれているので、レコメンドサーバ５ａは、それらの商品のうち複数回購入された商品についてその商品毎にその商品の購入間隔の平均値を算出して保持する（ステップ２０４）。
【００２９】
（３）レコメンドサーバ５ａは、ステップ２０４の処理で算出した商品毎の購入間隔の平均値にその商品の最終購入日を加算して次回購入日を算出し、この算出した次回購入日の前後３日間（３日間である必要はなく、システム管理者が適宜定めることができる）を、買い時商品を案内する通知期間として設定する（ステップ２０５、２０６）。
【００３０】
前述までの処理は、全ユーザに対してユーザ毎に、ユーザが購入した商品毎に実行され、算出した情報、設定した期間が保持される。
【００３１】
（４）ユーザは、任意のときにユーザ端末機器１であるタブレット端末１ｂからネットスーパー事業者２の商品管理・受注サーバ２ａにアクセスし、このアクセスにより商品管理・受注サーバ２ａから提供される初期画面を用いて商品管理・受注サーバ２ａに対して、買い時商品の情報を提供する画面情報の送信を要求する（ステップ２０７、２０８）。
【００３２】
（５）ネットスーパー事業者２の商品管理・受注サーバ２ａは、ユーザが使用するタブレット端末１ｂからの買い時商品の情報を提供する画面情報の要求を受け付けると、レコメンドサーバ５ａに買い時商品の情報の送信を要求する（ステップ２０９）。
【００３３】
（６）レコメンドサーバ５ａは、現在の日時とステップ２０６の処理で設定したそのユーザの商品毎の通知期間とを比較し、現在日時が通知期間に入っている商品を検索しその結果得られた商品を買い時商品として、その商品の情報と商品コードとを商品管理・受注サーバ２ａに送信する（ステップ２１０、２１１）。
【００３４】
（７）商品管理・受注サーバ２ａは、ステップ２１１の処理でのレコメンドサーバ５ａからの買い時商品の情報と商品コードとを受信すると、買い時商品の商品コードに基づいてその商品の商品名、価格を抽出して買い時の商品を案内する表示画面を生成し、生成した表示画面をユーザが使用しているタブレット端末１ｂに送信する（ステップ２１２〜２１４）。
【００３５】
（８）ユーザが使用しているタブレット端末１ｂは、ステップ２１３の処理で商品管理・受注サーバ２ａから送信されてきた買い時の商品を案内する表示画面をタブレット端末１ｂの表示部に表示して、買い時商品の情報をレコメンド情報としてユーザに提供する（ステップ２１５）。
【００３６】
図３は図１に示す食材検索システムのレコメンドサーバ５ａがユーザ端末機器１からのユーザの要求によりおすすめ献立を案内する処理を説明するシーケンスチャートである。なお、ここでの処理の前提として、図１に示す本発明の実施形態によるシステムが稼働中であるものとする。
【００３７】
（１）レコメンドサーバ５ａは、例えば、１日に１回決まった時刻に、全ユーザそれぞれの献立購入履歴の取得処理のためその処理をタイマ起動し、ネットスーパー事業者２の商品管理・受注サーバ２ａにユーザ毎の献立購入履歴を要求し、ユーザ毎の献立購入履歴を取得する。なお、献立とは、ここでは、料理の名称であり、複数の食材を用いて調理されるものである。また、ユーザが購入する献立とは、その時々で販売者が複数の食材を組み合わせたものであってよい（ステップ３０１〜３０３）。
【００３８】
（２）取得したユーザ毎の献立購入履歴にはユーザ毎に過去に購入した献立の情報が含まれているので、レコメンドサーバ５ａは、献立購入履歴からユーザ毎の各献立の購入回数を算出集計して、購入回数の多いものの上位５品（５品に限ることはなく、システムの管理者が任意に設定することができる）に対して、おすすめ献立としてレコメンドフラグを設定して保持する（ステップ３０４、３０５）。
【００３９】
前述までの処理は、全ユーザに対してユーザ毎に、ユーザが購入した献立毎に実行され、算出集計した情報、設定したフラグが保持される。
【００４０】
（３）ユーザは、任意のときにユーザ端末機器１であるタブレット端末１ｂからネットスーパー事業者２の商品管理・受注サーバ２ａにアクセスし、このアクセスにより商品管理・受注サーバ２ａから提供される初期画面を用いて商品管理・受注サーバ２ａに対して、おすすめ献立の情報を提供する画面情報の送信を要求する（ステップ３０６、３０７）。
【００４１】
（４）ネットスーパー事業者２の商品管理・受注サーバ２ａは、ユーザが使用するタブレット端末１ｂからのおすすめ献立の情報を提供する画面情報の要求を受け付けると、レコメンドサーバ５ａにおすすめ献立の情報の送信を要求する（ステップ３０８）。
【００４２】
（５）レコメンドサーバ５ａは、ステップ３０５の処理で設定したレコメンドフラグが設定されて保持している献立から１または複数の献立を選択し、選択した献立をおすすめ献立として、その献立の情報と献立コードとを商品管理・受注サーバ２ａに送信する（ステップ３０９、３１０）。
【００４３】
（６）商品管理・受注サーバ２ａは、ステップ３１０の処理でのレコメンドサーバ５ａからのおすすめ献立の情報と献立コードとを受信すると、おすすめ献立の商品コードに基づいてその献立の献立名、価格、現時点で販売しているその献立に含まれる食材等を抽出してお勧め献立を案内する表示画面を生成し、生成した表示画面をユーザが使用しているタブレット端末１ｂに送信する（ステップ３１１〜３１３）。
【００４４】
（７）ユーザが使用しているタブレット端末１ｂは、ステップ３１２の処理で商品管理・受注サーバ２ａから送信されてきたおすすめ献立を案内する表示画面をタブレット端末１ｂの表示部に表示して、おすすめ献立の情報をレコメンド情報としてユーザに提供する（ステップ３１４）。
【００４５】
図４は図１に示す食材検索システムのレコメンドサーバ５ａがユーザ端末機器からのユーザの要求により残り物活用献立を案内する処理を説明するシーケンスチャートである。なお、ここでの処理の前提として、図１に示す本発明の実施形態によるシステムが稼働中であるものとする。
【００４６】
（１）レコメンドサーバ５ａは、例えば、１日に１回決まった時刻に、全ユーザそれぞれの商品購入履歴の取得処理のためその処理をタイマ起動し、ネットスーパー事業者２の商品管理・受注サーバ２ａにユーザ毎の商品購入履歴を要求し、ユーザ毎の商品購入履歴を取得する（ステップ４０１〜４０３）。
【００４７】
（２）取得したユーザ毎の商品購入履歴には、ユーザ毎に過去に購入した商品の情報とその商品を購入した日時とが含まれているので、レコメンドサーバ５ａは、各ユーザ毎に直前の３日間（３日間に限ることはなく、システムの管理者が任意に設定することができる）に購入した商品（食材）がまだ残っているものとして、その食材を残り物として抽出して保持する（ステップ４０４）。
【００４８】
（３）レコメンドサーバ５ａは、ネットスーパー事業者２の商品管理・受注サーバ２ａに献立情報を送信するように要求して、商品管理・受注サーバ２ａからその外部記憶装置２ｂに保持されているメニューＤＢから献立情報を取得し、取得した献立情報からステップ４０４の処理で抽出保持したユーザ毎の残り物としての食材を材料に含む献立を、ユーザ毎に抽出して保持する（ステップ４０５〜４０７）。
【００４９】
（４）次に、レコメンドサーバ５ａは、商品管理・受注サーバ２ａにユーザ毎の献立購入履歴の情報を送信するように要求し、ユーザ毎の献立購入履歴を取得する。そして、レコメンドサーバ５ａは、取得したユーザ毎の献立購入履歴からステップ４０７の処理で抽出保持したユーザ毎の残り物としての食材を材料に含む献立を購入した回数を算出集計して、購入回数の多いものの上位５品（５品に限ることはなく、システムの管理者が任意に設定することができる）に対して、残り物活用献立としてレコメンドフラグを設定して保持する（ステップ４０８〜４１１）。
【００５０】
前述までの処理は、全ユーザに対してユーザ毎に、ユーザが購入した献立毎に実行され、算出集計した情報、設定したフラグが保持される。
【００５１】
（５）ユーザは、任意のときにユーザ端末機器１であるタブレット端末１ｂからネットスーパー事業者２の商品管理・受注サーバ２ａにアクセスし、このアクセスにより商品管理・受注サーバ２ａから提供される初期画面を用いて商品管理・受注サーバ２ａに対して、残り物活用献立の情報を提供する画面情報の送信を要求する（ステップ４１２、４１３）。
【００５２】
（６）ネットスーパー事業者２の商品管理・受注サーバ２ａは、ユーザが使用するタブレット端末１ｂからの残り物活用献立の情報を提供する画面情報の要求を受け付けると、レコメンドサーバ５ａに残り物活用献立の情報を送信するように要求する（ステップ４１４）。
【００５３】
（７）レコメンドサーバ５ａは、ステップ４１１の処理で設定したレコメンドフラグが設定されて保持している献立から１または複数の献立を選択し、選択した献立を残り物活用献立として、その献立の情報と献立コードとを商品管理・受注サーバ２ａに送信する（ステップ４１５、４１６）。
【００５４】
（８）商品管理・受注サーバ２ａは、ステップ４１６の処理でのレコメンドサーバ５ａからの残り物活用献立の情報と献立コードとを受信すると、残り物活用献立の商品コードに基づいてその献立の献立名を抽出してお残り物活用献立を案内する表示画面を生成し、生成した表示画面情報をユーザが使用しているタブレット端末１ｂに送信する（ステップ４１７〜４１９）。
【００５５】
（９）ユーザが使用しているタブレット端末１ｂは、ステップ３１２の処理で商品管理・受注サーバ２ａから送信されてきた残り物活用献立を案内する表示画面をタブレット端末１ｂの表示部に表示して、残り物活用献立の情報をレコメンド情報としてユーザに提供する（ステップ４２０）。
【００５６】
図５は図１に示す食材検索システムのレコメンドサーバ５ａがユーザ端末機器１からのユーザの要求によりお買い得品を案内する処理を説明するシーケンスチャートである。なお、ここでの処理の前提として、図１に示す本発明の実施形態によるシステムが稼働中であるものとする。
【００５７】
（１）レコメンドサーバ５ａは、例えば、１日に１回決まった時刻に、店舗で販売している全商品の商品情報の取得処理のためその処理をタイマ起動し、ネットスーパー事業者２の商品管理・受注サーバ２ａに商品情報を要求し、店舗で販売している全商品の商品情報取得する（ステップ５０１〜５０３）。
【００５８】
（２）レコメンドサーバ５ａは、取得した全商品情報から商品情報のそれぞれに属性情報として付与されている、現時点で、店舗側がお買い得品に指定している商品情報を抽出して保持する（ステップ５０４）。
【００５９】
（３）その後、レコメンドサーバ５ａは、ネットスーパー事業者２の商品管理・受注サーバ２ａにユーザ毎の商品購入履歴を要求し、ユーザ毎の商品購入履歴を取得する（ステップ５０５、５０６）。
【００６０】
（４）レコメンドサーバ５ａは、ステップ５０６の処理で取得したユーザ毎の商品購入履歴からステップ５０４の処理で抽出保持したお買い得品と同一の商品を購入した回数をユーザ毎に算出集計して、購入回数の多いものの上位５品（５品に限ることはなく、システムの管理者が任意に設定することができる）に対して、残り物活用献立としてレコメンドフラグを設定して保持する（ステップ５０７、５０８）。
【００６１】
前述までの処理は、全ユーザに対してユーザ毎に、ユーザが購入した商品毎に実行され、算出集計した情報、設定したフラグが保持される。
【００６２】
（５）ユーザは、任意のときにユーザ端末機器１であるタブレット端末１ｂからネットスーパー事業者２の商品管理・受注サーバ２ａにアクセスし、このアクセスにより商品管理・受注サーバ２ａから提供される初期画面を用いて商品管理・受注サーバ２ａに対して、お買い得品の情報を提供する画面情報の送信を要求する（ステップ５０９、５１０）。
【００６３】
（６）ネットスーパー事業者２の商品管理・受注サーバ２ａは、ユーザが使用するタブレット端末１ｂからのお買い得品の情報を提供する画面情報の要求を受け付けると、レコメンドサーバ５ａにお買い得品の情報を送信するように要求する（ステップ５１１）。
【００６４】
（７）レコメンドサーバ５ａは、ステップ５０８の処理で設定したレコメンドフラグが設定されて保持しているユーザ毎のお買い得品からそのユーザに対応する１または複数のお買い得品を選択し、選択したお買い得品の情報とその商品コードとを商品管理・受注サーバ２ａに送信する（ステップ５１２、５１３）。
【００６５】
（８）商品管理・受注サーバ２ａは、ステップ５１２の処理でのレコメンドサーバ５ａからのお買い得品の情報とその商品コードとを受信すると、商品コードに基づいてそのお買い得品を案内する表示画面を生成し、生成した表示画面情報をユーザが使用しているタブレット端末１ｂに送信する（ステップ５１４〜５１６）。
【００６６】
（９）ユーザが使用しているタブレット端末１ｂは、ステップ３１２の処理で商品管理・受注サーバ２ａから送信されてきたお買い得品を案内する表示画面をタブレット端末１ｂの表示部に表示して、お買い得品の情報をレコメンド情報としてユーザに提供する（ステップ５１７）。
【００６７】
図２〜図５のそれぞれに示すシーケンスチャートにより説明したユーザからの要求により各種の情報を案内する処理において、各処理毎にレコメンドサーバ５ａが、ユーザに提供する情報の取得のために１日に１回決まった時刻にその処理をタイマ起動するとして説明したが、レコメンドサーバ５ａが情報取得のために処理を起動するのは、１日１回だけでよい。そして、その１回の起動後の処理で、レコメンドサーバ５ａは、図２〜図５により説明した各シーケンスで説明したユーザに案内する全ての情報を取得生成しておき、その後、ネットスーパー事業者２が管理している商品管理・受注サーバ２ａを介したユーザからの要求があるのを待てばよい。
【００６８】
また、前述において、ユーザが、ユーザ端末機器１であるタブレット端末１ｂからネットスーパー事業者２の商品管理・受注サーバ２ａにアクセスしたときに提供される初期画面は、前述で説明した各種の情報の提供のための画面情報のそれぞれを送信してもらうため、また、後述する食材の購入のための食材検索画面を送信してもらうための画面であり、それらの１つを選択して対応する画面情報の送信を要求することができるような構成を有するものであればどのような画面であってもよい。
【００６９】
図２〜図５のそれぞれに示すシーケンスチャートにより説明した処理では、ユーザからの要求があったときに、そのユーザに対して各種のレコメンド情報を提供するとして説明したが、ユーザは、このようなレコメンド情報の要求を行うことなく、後述するするような商品購入のための検索画面を要求して、食材の検索、選択、購入を行うことがあるが、本発明の実施形態では、ユーザがレコメンド情報の要求を行うことなく、食材の検索、選択、購入を行っても、食材の検索、選択を行う時点でユーザに対して、そのユーザに対するレコメンド情報を提供するようにしている。
【００７０】
次に、図１に示して説明したようなネットスーパーシステムでの食材検索について説明する。
【００７１】
本発明の実施形態での食材検索は、ユーザ端末機器１から商品購入の要求があると、ネットスーパー事業者２の商品管理・受注サーバ２ａが食材検索のための画面情報を作成し、要求のあったユーザ端末機器１に送信して提供し、ユーザがこの画面を用いて行われる。すなわち、ユーザ端末機器１は、その表示画面１ａに商品管理・受注サーバ２ａから受信した食材検索のための画面情報を表示し、ユーザは、この表示される画面を用いて希望する食材を検索する。
【００７２】
図６は図１に示す食材検索システムにおいて、商品購入のためにユーザのタブレット端末に表示された食材検索用のホーム画面の例を示す図である。ここに示すホーム画面の例は、ユーザ端末機器１からネットスーパー事業者２の商品管理・受注サーバ２ａにアクセスし、このアクセスにより商品管理・受注サーバ２ａから提供される初期画面を用いて商品管理・受注サーバ２ａに対して、食材検索用の画面情報の送信を要求して表示された画面の例であり、ユーザ端末機器１がタブレット端末１ｂであるとした場合のホーム画面の例である。そして、この画面は、タブレット端末１ｂの表示部が横長に使用されるものとした場合の表示例であり、販売している食材を画面の左側から新着順に表示している。
【００７３】
図６に示しているユーザ端末機器１の表示画面１ａに表示された買い物のためのホーム画面１０ａは、その縦方向が商品表示エリア１１と指定商品表示欄１５と操作欄１６、１７とに区分されている。
【００７４】
商品表示エリア１１には、レコメンドサーバから提供された商品の商品画像１２が配置されて表示される。この商品画像１２としては、ここでは、残り物を活用する献立の紹介画像１２ａ、お買い得商品の紹介画像１２ｂ、買い時商品の紹介画像１２ｃ、おすすめレシピの紹介画像１２ｄなどとしており、このような商品画像１２が、恰も川の流れに乗って流れるように、画面上横方向（以下、単に横方向という）にスクロールしている。また、各商品画像１２には、チェックボタン１４が設けられている。
【００７５】
指定商品表示欄１５には、複数の指定画像保持部１５ａが設けられており、商品表示エリア１１で表示される商品画像１２のいずれかのチェックボタン１４がユーザによりタッチ操作されると、この商品画像１２が指定画像保持部１５ａの１つに保持され、この指定画像保持部１５ａに指定された商品画像１２が表示される。
【００７６】
操作欄１６には、「ホーム」ボタン１６ａや「献立」ボタン１６ｂ、「履歴」ボタン１６ｃ、「売り場」ボタン１６ｄ、「買い物かご」アイコン１６ｅ、「支払い」決定ボタン１６ｆが表示されている。かかる操作欄１６は、後述するいずれの画面でも設けられている。
【００７７】
「ホーム」ボタン１６ａは、ホーム画面１０ａを表示させるための操作ボタンであって、このユーザ端末機器１の買い物案内の立上りでは、立上り画面としてこのトップ画面１０ａが表示されたときには、この、「ホーム」ボタン１６ａがタッチ操作された状態（この状態をハッチングで示す）にあるが、また、後述する他の画面でこの「ホーム」ボタン１６ａがタッチ操作されると、このトップ画面１０ａの表示状態に切り替えられる。
【００７８】
「献立」ボタン１６ｂは献立を指定してその素材を購入できる画面を表示させるためのものであり、「履歴」ボタン１６ｃは現在までの所定期間のそのユーザの商品の購入履歴を示す画面を表示させるためのものであり、「売り場」ボタン１６ｄは食材の売り場で現在販売中の商品である食材を示す画面（即ち、食材検索画面）を表示させるためのものである。
【００７９】
「買い物かご」アイコン１６ｅは、操作ボタンではなく、購入する商品を溜めておく領域を示すものであって、商品を手に取って買い物かごにいれる動作を想定しているものである。この「買い物かご」アイコン１６ｅには、買い物商品の個数を表わす買い物個数表示部１６ｅ１が設けられている。商品表示エリア１１内の買いたい所望の商品の商品画像１２（チェックボタン１４以外の部分）をタッチ操作すると、この商品が「買い物かご」アイコン１６ｅの場所に移された（即ち、買い物かごに入れられた）ものとして、買い物個数表示部１６ｅ１での数値が値「１」だけインクリメントされる。これにより、ユーザはどの程度買い物したかを確認することができる。
【００８０】
この場合、商品表示エリア１１でタッチ操作された商品画像１２は、例えば、ハッチングするなどして買い物かごに入れたものであることを表示するようにし、また、タッチ操作された商品紹介画像１２の指定画像保持部１５ａは、この商品紹介画像１２を消去するようにしてもよいが、例えば、ハッチングするなどして買い物かごに入れたものであることを表示するようにする。これにより、ユーザは買い物かごに入れた商品を容易に確認することができる。
【００８１】
「支払い」決定ボタン１６ｆは、買い物が終わって支払いをする場合にタッチ操作されるものであって、この「支払い」決定ボタン１６ｆがタッチ操作されると、「買い物かご」アイコン１６ｅで買い物かごに入れられた商品についての注文情報が作成される。
【００８２】
操作欄１７には、このシステムを利用するユーザに関する情報を設定するための「ユーザプロフィール」設定ボタン１７ａと、音声認識モードを設定するための「音声認識モードＯＮ」ボタン１７ｂと、音声認識モードを解除するための「音声認識モードＯＦＦ」ボタン１７ｃと、買うものを文字や音声のキーワードとして指定することができる「キーワード」指定部１７ｄと、商品の絞り込みを行うことができる「詳細検索」ボタン１７ｅとが設けられている。
【００８３】
さらに、商品表示エリア１１には、「新着順」指定ボタン１８ａと「種類順」指定ボタン１８ｂとが設けられている。「新着順」指定ボタン１８ａは商品表示エリア１１に表示される。「新着順」指定ボタン１８ａは、商品表示エリア１１で商品画像１２を商品の新着順に表示させるためのものである。図６に示すホーム画面１０ａは、商品を新着順に表示した状態を示すものであって、この「新着順」指定ボタン１８ａが、例えば、ハッチングや明るく表示されたフォーカス状態にある。これに対して、「種類順」指定ボタン１８ｂは、表示する商品画像１２を商品の種類別に示すホーム画面を表示させるものである。
【００８４】
図７は図６に示すホーム画面で「種類順」指定ボタンがタッチ操作されたときに表示される商品の種類別に商品画像を表示する食材検索画面としてのホーム画面の例を示す図である。図７において、図６に示して説明したものについては同一符号を付けて重複する説明を省略する。また、図７においても、ユーザ端末機器１がタブレット端末１ｂであるとし、画面を横長に使用している。
【００８５】
図７に示すホーム画面１０ｂは、商品表示エリア１１に表示される商品画像１２が商品の種類毎にまとめられ、同じ種類の商品のまとまり毎に、例えば、「残り物活用」、「おすすめレシピ」といったような商品の種類を表わすジャンル画像１３ｂ、１３ｃが、スクロールしながら表示される。また、このホーム画面１０ｂの例では、「種類順」指定ボタン１８ｂがフォーカスされ、「新着順」指定ボタン１８ａのフォーカスが解除されており、このホーム画面１０ｂで「新着順」指定ボタン１８ａがタッチ操作されると、図６に示す新着順に商品画像１２が表示されるホーム画面１０ａの表示に切り替えられる。
【００８６】
前述のようにして、ホーム画面で、商品画像１２の配列表示の仕方を切り替えることができ、ユーザは商品を選びやすい表示方法を選択することができる。
【００８７】
なお、このホーム画面１０ｂにおいて、「ホーム」ボタン１６ａがタッチ操作されると、図６に示すホーム画面１０ａの表示に切り替えられる。また、図７では、省略しているが、各商品画像１２には、当該商品の数量や値段なども記載されている。また、図７に示すホーム画面を用いた食材の選択、購入の注文の処理は、図６に示して説明したと同様に行われる。
【００８８】
図８は図６または図７に示すホーム画面で「売り場」ボタンがタッチ操作されたときに表示される食材検索画面の例を示す図である。図８において、図６、図７に示して説明したものについては同一符号を付けて重複する説明を省略する。また、図８においても、ユーザ端末機器１がタブレット端末１ｂであるとし、画面を横長に使用している。
【００８９】
図８に示す食材検索画面２０ａは、図６、図７により説明した例における２つの操作欄１６、１７をそのままとして、商品カテゴリ選択エリア２３、検索画面選択ボタンエリア２４、食材表示エリア２５、表示食材のカテゴリエリア２５ａが設けられて構成されている。そして、商品カテゴリ選択エリア２３には、販売中の多数の食材、日用品等の商品のカテゴリ名が表示され、その下部には、レール３６上をマウス等によりドラッグ可能な食材指定バー３５が設けられている。
【００９０】
また、検索画面選択ボタンエリア２４には、食材の検索をどのような検索画面で行うかを選択するための選択ボタン、図示例では、種類順、人気順、値段順に検索するための検索画面を呼び出す選択ボタン、食材の色により食材を検索する「色で探す」の選択ボタンが表示されている。図８に示している例は、種類順の検索画面の例であり、「種類順」の選択ボタンが強調表示されている。
【００９１】
また、食材表示エリア２５には、食材指定バー３５が位置付けられて選択された商品カテゴリに含まれる食材の食材画像２６ａ、食材名、値段等の食材情報２６ｂを持つ複数の食材エリア２６が設けられる。図８に示す例では、食材指定バー３５が「特売」と「果物」とに位置付けられているので、食材表示エリア２５には、特売品と果物との食材エリア２６が表示されている。そして、表示食材のカテゴリエリア２５ａには、食材表示エリア２５に表示されている食材の内どこからどこまでが特売品であり、どこからどこまでが果物であるかを、表示している。
【００９２】
そして、食材指定バー３５がユーザによりドラッグされて別の商品カテゴリ名の位置に位置付けられると、食材表示エリア２５には、その商品カテゴリに対応する食材の情報が各食材エリア２６に表示される。また、食材表示エリア２５の左右側には、それぞれ、左スクロールボタン２７Ｌ、右スクロールボタン２７Ｒが設けられており、これらのスクロールボタンをユーザがタッチ操作することにより、表示されている商品カテゴリに対応する食材の情報の各食材エリア２６が左または右の方向にスクロールされていく。このとき、食材指定バー３５も同期して移動する。
【００９３】
また、各食材エリア２６には、購入指示ボタン２６ｃが設けられており、ユーザは、この購入指示ボタンをタッチ操作することにより、その食材を購入することとして、買い物かご１６ｅに入れることができる。このとき、買い物個数表示部１６ｅ１が「１」だけインクリメントされる。
【００９４】
図９は図６〜図８に示して説明した食材検索画面の詳細検索ボタンがタッチ操作されたときに表示される詳細検索のための表示画面の食材検索画面の例を示す図である。図９においても、ユーザ端末機器１がタブレット端末１ｂであるとし、画面を横長に使用している。
【００９５】
図９に示す詳細検索のための表示画面である食材詳細検索画面２０ｂは、種類入力欄３１、値段入力欄３２、産地入力欄３３、商品名等を入力するキーワード入力欄３４、検索ボタン３５を有して構成される。
【００９６】
ユーザは、図６〜図８に示して説明した食材検索画面が表示されている状態で、表示されている画面から商品である食材を選択するのではなく、自分が希望する食材をしぼり込んで詳細検索を行いたい場合に、詳細検索ボタン１７ｅをタッチ操作する。これにより、ユーザが使用するタブレット端末１ｂには、図９に示すような詳細検索のための食材詳細検索画面２０ｂが商品管理・受注サーバ２ａから送信されてきて表示される。
【００９７】
ユーザは、この食材詳細検索画面２０ｂの種類入力欄３１に、選択したい食材のジャンル名を種類として入力する。この入力は、ユーザ自らがキーボードを用いて行ってもよいが、入力欄内に設けられているプルダウンメニュー呼出し用アイコンを用いて表示させたプルダウンメニューから選択して入力することができる。
【００９８】
次に、ユーザは、値段入力欄３２に、希望する値段を入力する。この入力は、前述と同様に、ユーザ自らがキーボードを用いて行ってもよく、また、プルダウンメニューを呼び出し、そのメニューから選択して入力することができる。図示例では、値段として、「指定しない」が入力されているが、値段は、「……円以上」、「……円以下」、「……円〜……円」と入力するのがよい。
【００９９】
次に、ユーザは、産地入力欄３３に、種類入力欄３１に入力した種類の食材の希望する産地名を入力する。この入力は、前述と同様に、ユーザ自らがキーボードを用いて行ってもよく、また、プルダウンメニューを呼び出し、そのメニューから選択して入力することができる。この場合、プルダウンメニューには、その時点で販売している種類入力欄３１に入力された食材の産地だけが表示される。
【０１００】
次に、ユーザは、種類入力欄３１に入力した種類の食材を具体的に希望する場合には、キーワード入力欄３４に、商品名等を入力する。
【０１０１】
ユーザは、前述したような入力を行った後に、検索ボタン３５をタッチ操作する。これにより、入力された情報が商品管理・受注サーバ２ａに送信され、商品管理・受注サーバ２ａで検索処理されて、その結果得られた情報がタブレット端末１ｂに返送されてくることになる。ユーザは、返送された検索結果の情報から食材を選択・購入することができる。
【０１０２】
図１０は図１に示す食材検索システムにおいて、商品購入のためにユーザ端末機器１としてのスマートフォンに表示された食材検索用のホーム画面の例を示す図であり、前述で説明した図６に対応する図である。ここに示すホーム画面の例も、図６の場合と同様にユーザ端末機器１としてのスマートフォンからネットスーパー事業者２の商品管理・受注サーバ２ａにアクセスし、このアクセスにより商品管理・受注サーバ２ａから提供される初期画面を用いて商品管理・受注サーバ２ａに対して、食材検索用の画面情報の送信を要求して表示された画面の例である。
【０１０３】
図１０に示しているユーザ端末機器１の表示画面１ａに表示された買い物のためのホーム画面４０ａは、縦方向に使用されている画面の縦方向が商品表示エリア１１と指定商品表示欄１５と操作欄１６、１７とに区分されている点で、図６により説明した場合と同様に構成され、商品表示エリア１１内に表示される商品の画像等が、横方向ではなく、縦方向にスクロールされて表示される点で図６により説明した場合と相違している。また、操作欄１６、１７に表示されるアイコンは、操作欄の長さが短いために図６に示すように全てを表示することができないが、一部のアイコンを、その他として表示を省略し、必要な場合に「その他」の部分をユーザがタッチ操作することにより表示させられるようにしている。そして、図１０に示す例においても、食材を選択して購入を決定する検索のための処理は、図６により説明した場合と同様であるので、ここでの説明を省略する。
【０１０４】
図１１は図１０に示すホーム画面で「種類順」指定ボタン１８ｂがタッチ操作されたときに表示される商品の種類別に商品画像１２を表示する食材検索画面としてのホーム画面４０ｂの例を示す図であり、前述で説明した図７に対応する図である。図１１において、図１０に示して説明したものについては同一符号を付けて重複する説明を省略する。また、図１１においても、ユーザ端末機器１がスマートフォンであるとし、画面を縦長に使用している。
【０１０５】
図１１に示すホーム画面４０ｂは、図７に示して説明した場合と同様に、商品表示エリア１１に表示される商品画像１２が商品の種類毎にまとめられ、同じ種類の商品のまとまり毎に、例えば、「残り物活用」、図示していないが「おすすめレシピ」といったような商品の種類を表わすジャンル画像１３ｂが、スクロールしながら表示される。また、このホーム画面４０ｂの例では、「種類順」指定ボタン１８ｂがフォーカスされ、「新着順」指定ボタン１８ａのフォーカスが解除されており、このホーム画面１０ｂで「新着順」指定ボタン１８ａがタッチ操作されると、図６に示す新着順に商品画像１２が表示されるホーム画面１０ａの表示に切り替えられる。
【０１０６】
前述のようにして、ホーム画面で、商品画像１２の配列表示の仕方を切り替えることができ、ユーザは商品を選びやすい表示方法を選択することができる。
【０１０７】
なお、このホーム画面４０ｂにおいて、「ホーム」ボタン１６ａがタッチ操作されると、図１０に示すホーム画面１０ａの表示に切り替えられる。また、図１１では、省略しているが、各商品画像１２には、当該商品の数量や値段なども記載されている。また、図１１に示すホーム画面を用いた食材の選択、購入の注文の処理は、図６に示して説明したと同様に行われる。
【０１０８】
図１２は図１０または図１１に示すホーム画面で「売り場」ボタンがタッチ操作されたときに表示される食材検索画面の例を示す図であり、前述で説明した図８に対応する図である。図１２において、図１０、図１１に示して説明したものについては同一符号を付けて重複する説明を省略する。また、図１２においても、ユーザ端末機器１がスマートフォンであるとし、画面を縦長に使用している。
【０１０９】
図１２に示す食材検索画面４０ｃは、図１０、図１１により説明した例における２つの操作欄１６、１７をそのままとして、商品カテゴリ選択エリア２３、検索画面選択ボタンエリア２４、食材表示エリア２５、表示食材のカテゴリエリア２５ａが設けられて構成されている。そして、商品カテゴリ選択エリア２３に表示される販売中の多数の食材、日用品等の商品のカテゴリ名としての商品種類名は、図８に示すように横方向にではなく、縦方向に配列されて表示されている。そして、ユーザによりカテゴリ名としての商品種類名がタッチ操作されると、そこに丸印が付けられ、食材表示エリア２５には、その種類に対応する複数の食材エリア２６が図８の場合と同様に表示される。そして、図１２に示す例においても、食材を選択して購入を決定する検索のための処理は、図８により説明した場合と同様であるので、ここでの説明を省略する。
【０１１０】
図１３は図１０〜図１２の操作欄１７の右に配置したボタンがタッチ操作されたときに表示される詳細検索のための表示画面の食材検索画面の例を示す図である。図１３においても、ユーザ端末機器１がスマートフォンであるとし、画面を縦長に使用している。
【０１１１】
図１３に示す詳細検索のための表示画面である食材詳細検索画面４０ｄは、図９に説明したものと全く同一であり、また、その利用方法、処理の動作も図９の場合と同一であるので、ここでの説明を省略する。
【０１１２】
前述までに、ユーザ端末機器として、ユーザがタブレット端末及スマートフォンを用いた食材の検索についてを図６〜図１３により説明したが、次に、タブレット端末及スマートフォンよりも表示部が大きく構成されているディスクトップ型、ノート型等のＰＣをユーザ端末機器として使用する場合における食材の検索についてを説明する。ディスクトップ型、ノート型等のＰＣは、その表示部を横長として使用するのが一般的であるので、以下では、ＰＣの表示部が横長であるとして説明する。
【０１１３】
図１４は図１に示す食材検索システムにおいて、商品購入のためにユーザ端末機器１としてのＰＣに表示された食材検索用のホーム画面の例を示す図である。ここに示すホーム画面の例も、図６の場合と同様にユーザ端末機器１としてのＰＣからネットスーパー事業者２の商品管理・受注サーバ２ａにアクセスし、このアクセスにより商品管理・受注サーバ２ａから提供される初期画面を用いて商品管理・受注サーバ２ａに対して、食材検索用の画面情報の送信を要求して表示された画面の例である。
【０１１４】
図１４に示しているユーザ端末機器１の表示画面１ａに表示された買い物のための食材検索用のホーム画面５０ａは、図６及び図７により説明した販売している食材を新着順及び種類順に表示したホームページをまとめて表示した検索用のホーム画面の例である。そして、この検索用のホーム画面５０ａは、商品表示エリア５１ａ、ネットスーパー事業者からのお知らせ情報表示エリア５１ｂ、図６に示す操作欄１６、１７の内容をまとめて表示している操作エリア５１ｃにより構成される。
【０１１５】
商品表示エリア５１ａは、新着順に販売開始日を付した商品画像５２を並べて表示した新着順商品表示欄５７ｂと、お買い得品の商品画像５２をまとめたお買い得品表示欄５３、買い時品の商品画像５２をまとめた買い時品表示欄５４、残り物活用レシピをまとめた残り物活用レシピ表示欄５７、商品画像のそれぞれに付けられているチェックボタン５６がユーザによりタッチ操作されたときに、その商品画像が商品情報と共に表示されて、その商品を選択したことを表示する指定商品表示欄５５を有する種類順商品表示欄５７ａとにより構成される。そして、このような商品表示エリア５１ａに表示される商品画像からユーザが商品を検索選択して購入する動作は、図６〜図１３により前述で説明した場合と同様に行われる。
【０１１６】
ネットスーパー事業者２からのお知らせ情報表示エリア５１ｂは、ネットスーパー事業者２がユーザにお知らせしたい任意の情報を表示することができるエリアであり、図示例では、週間ランキングＴＯＰ３の商品データを含む商品画像５２を紹介するランキング表示欄５７ｃと、商品についての各種の情報等を商品画像と共に紹介するコラム表示欄５７ｄを有している。
【０１１７】
また、操作エリア５１ｃは、図６に示す操作欄１６、１７の内容をまとめて表示したものであり、図１４に示す例では、「買い物かご」アイコンに買い物かごに入れた商品の数と合計の値段とが付けられている。
【０１１８】
図１５は図１４に示すホーム画面で操作欄の「売り場」ボタンがタッチ操作されたときに表示される食材検索画面の例を示す図である。図１５において、図１４に示して説明したものについては同一符号を付けて重複する説明を省略する。
【０１１９】
図１５に示す食材検索画面５０ｂは、図１４により説明した例における操作欄５１ｃをそのままとして、第１の商品ジャンル選択エリア６０ａ、第２の商品ジャンル選択エリア６０ｂ、検索画面選択エリア６０ｃ、指定商品表示エリア６０ｄ、食材表示エリア６０ｅ、により構成されている。
【０１２０】
前述において、第１の商品ジャンル選択エリア６０ａには、商品ジャンルを示す画像が複数、その１つが選択可能に表示されている。そして、商品ジャンルを示す画像は、その商品ジャンルの名称、その商品ジャンルに含まれる複数の商品（食材）が判るように、食材名あるいはその食材の略画（図１５には丸で示している）、お買い得の商品、買い時の商品等のそのユーザに対するレコメンド情報を有して構成されており、このような商品ジャンルを示す画像全体が１つのアイコンとされている。
【０１２１】
前述のお買い得の商品、買い時の商品等のそのユーザに対するレコメンド情報は、図２〜図５により説明した処理で、レコメンドサーバ５ａがユーザ毎に抽出したユーザに案内する情報である。このようなユーザに対応するレコメンド情報が表示されることにより、ユーザは、自宅での不足食材、残っているかもしれない食材等の知ることができる。
【０１２２】
なお、商品管理・受注サーバ２ａがレコメンド情報を取得するには、商品管理・受注サーバ２ａが図１５に示すような食材検索画面５０ｂを作成するときに、レコメンドサーバ５ａにレコメンド情報を要求し、レコメンドサーバ５ａから送信されてきたレコメンド情報を受信すればよい。このレコメンド情報は、図２〜図５により説明した処理で、レコメンドサーバ５ａがユーザ毎に作成して保持していたものである。
【０１２３】
そして、ユーザが商品ジャンルを示す画像によるアイコンをタッチ操作すると、そのジャンルに含まれる商品の画像及び情報が後述する食材表示エリア６０ｅに表示される。また、この第１の商品ジャンル選択エリア６０ａには、その左右側にそれぞれ左スクロールボタン、右スクロールボタンが設けられていて、ユーザは、これらのボタンを用いて、表示しきれていない他の商品ジャンルをこのエリアに表示させることができる。
【０１２４】
前述のような第１の商品ジャンル選択エリア６０ａが設けられることにより、ユーザは、この第１の商品ジャンル選択エリア６０ａの商品ジャンルを示す画像を見るだけで、現在販売されているその商品ジャンルに含まれる食材を知ることができる。そして、ユーザは、興味のあるものがあった場合に、その商品ジャンルの画像をタッチ操作すれば、そのジャンルに含まれる商品の画像及び情報を食材表示エリア６０ｅに表示させて、その食材の値段等の情報を見ることができることができる。なお、タッチ操作されて選択された商品ジャンルを示す画像全体に色を付ける等により選択されたことが判るようにする。
【０１２５】
第２の商品ジャンル選択エリア６０ｂは、第１の商品ジャンル選択エリア６０ａと同様に、ユーザに商品ジャンルを選択させて、そのジャンルに含まれる商品である食材の画像及び情報を食材表示エリア６０ｅに表示させるために使用されるものであるが、ネットスーパー事業者が２が持っている全商品のジャンル名が文字により表示されているものである。ユーザは、急いで食材表示エリア６０ｅにそのジャンルに含まれる商品の画像及び情報を表示させたい場合に、この第２の商品ジャンル選択エリア６０ｂから商品ジャンルを選択することができる。そして、選択されジャンル名の下部には、選択されたことを示すバーが付けられる。選択されたことを示す方法は、どのような方法であってもよく、例えば、ジャンル名に被せて色付けをする等の方法をとることができる。
【０１２６】
検索画面選択ボタンエリア６０ｃには、図８に示して説明した場合と同様に、食材の検索をどのような検索画面で行うかを選択するための選択ボタン、図示例では、種類順、人気順、値段順に検索するための検索画面を呼び出す選択ボタンが表示されている。図１５に示している例は、種類順の検索画面の例であり、「種類順」の選択ボタンが強調表示されている。
【０１２７】
食材表示エリア６０ｅには、第１または第２の商品ジャンル選択エリア６０ａまたは６０ｂから選択された商品ジャンル名及びその商品ジャンルに含まれる食材画像６１ａ、６１ｂが表示されると共に、余ったエリアには、商品ジャンル選択エリアで右側に隣接する商品ジャンルの商品ジャンル名及びその商品ジャンルに含まれる食材画像６１ａ、６１ｂが表示される。
【０１２８】
そして、表示される食材画像６１ａ、６１ｂには、前述のレコメンド情報がある場合に、対応する食材画像にレコメンド情報が付けられる。レコメンド情報が付けられる食材は、すでに説明しているように、レコメンドサーバ５ａによりユーザ毎に検索された結果として得られるものであるので、レコメンド情報が付けられる食材は、食材を購入しようとしているユーザに対応するものである。
【０１２９】
この食材表示エリア６０ｅの右側には、スクロールバー６０ｆが設けられており、ユーザは、このスクロールバー６０ｆを操作することにより、表示される商品ジャンル名及びその商品ジャンルに含まれる食材画像６１ａ、６１ｂを上下にスクロールさせることができる。このようにスクロールバー６０ｆの操作が行われたとき、その操作に従って、第２の商品ジャンル選択エリア６０ｂのジャンル名の下部に表示された選択されたことを示すバーも移動するようにされている。
【０１３０】
指定商品表示エリア６０ｄは、ユーザが食材表示エリア６０ｅから選択した食材を表示するエリアであり、新しく食材表示エリア６０ｅから食材が選択されると、その食材が指定商品表示エリア６０ｄの最も上の領域に表示される。この領域には、大きな食材画像とその食材の食材情報とが格納される。そして、ユーザにより次の食材が選択されると、その時点で指定商品表示エリア６０ｄの最も上の領域に表示されている食材画像とその食材の食材情報とが指定商品表示エリア６０ｄの下方に縮小して移されていく。
【０１３１】
また、食材表示エリア６０ｅ及び指定商品表示エリア６０ｄの食材情報の表示部分には、買い物かごも表示されていて、ユーザは、前述までに説明した場合と同様に、その商品を買い物かごに入れて、購入の指示を行うことができる。
【０１３２】
前述で説明したような食材検索画面５０ｂを利用することにより、ユーザは、容易に食材を選択し、購入のために買い物かごに入れることが可能となる。
【０１３３】
図１６は図１４、図１５に示して説明した食材検索画面の操作欄にある詳細検索ボタンがタッチ操作されたときに表示される詳細検索のための表示画面の食材検索画面の例を示す図である。
【０１３４】
図１６に示す詳細検索のための表示画面である食材詳細検索画面５０ｃは、図９に説明したものと全く同一であり、また、その利用方法、処理の動作も図９の場合と同一であるので、ここでの説明を省略する。
【０１３５】
前述した本発明の実施形態によれば、ユーザは、自身に対する各種のレコメンド情報を参照しつつ、食材の画像を見ながら食材を選択し、購入する処理を食材検索システムに行わせることができるので、食材の買物に際しての手間を省いて手軽に希望する食材を注文することができる。
【符号の説明】
【０１３６】
１  ユーザ端末機器
１ａ  表示画面
２  ネットスーパー事業者
２ａ  商品管理・受注サーバ
２ｂ、５ｂ  外部記憶装置
３  クレジット会社
３ａ  決済サーバ
４  物流会社
４ａ  配送管理サーバ
５  レコメンドサービス事業者
５ａ  レコメンドサーバ
５０ｂ  食材検索画面
５１ｃ  操作欄
６０ａ  第１の商品ジャンル選択エリア
６０ｂ  第２の商品ジャンル選択エリア
６０ｃ  検索画面選択エリア
６０ｄ  指定商品表示エリア
６０ｅ  食材表示エリア
【図１】
2013152681.tif 000003
【図２】
2013152681.tif 000004
【図３】
2013152681.tif 000005
【図４】
2013152681.tif 000006
【図５】
2013152681.tif 000007
【図６】
2013152681.tif 000008
【図７】
2013152681.tif 000009
【図８】
2013152681.tif 000010
【図９】
2013152681.tif 000011
【図１０】
2013152681.tif 000012
【図１１】
2013152681.tif 000013
【図１２】
2013152681.tif 000014
【図１３】
2013152681.tif 000015
【図１４】
2013152681.tif 000016
【図１５】
2013152681.tif 000017
【図１６】
2013152681.tif 000018